(57)【特許請求の範囲】
【請求項１】
ユーザからのアクセス時にユーザ情報に基づいて認証を行う認証手段と、
ユーザの操作に応じ、スクラップの対象となる記事を特定する記事特定手段と、
特定された記事を登録する登録手段と、
ユーザの操作に応じ、登録された記事の編集を行う編集手段と、
編集された記事の印刷を行う印刷手段と、
上記の編集および印刷の操作時に、操作対象の記事に設定された個々の操作の可否を示すコンテンツポリシーに基づいてユーザに付与されたユーザポリシーにおいて要求された操作が許可されているか否か判断することで操作の許否を判断するセキュリティ手段とを備えたことを特徴とする電子コンテンツ・スクラップシステム。
【請求項２】
請求項１に記載の電子コンテンツ・スクラップシステムにおいて、
上記認証手段、記事特定手段、登録手段はネットワーク上のサーバに設けられ、
上記編集手段、印刷手段、セキュリティ手段はユーザの操作する端末に設けられることを特徴とする電子コンテンツ・スクラップシステム。
【請求項３】
請求項１に記載の電子コンテンツ・スクラップシステムにおいて、
上記記事特定手段は、記事の紙面に付されたコードを解読した結果をユーザの端末から受け取ることによりスクラップの対象となる記事を特定することを特徴とする電子コンテンツ・スクラップシステム。
【請求項４】
請求項３に記載の電子コンテンツ・スクラップシステムにおいて、
上記コードは、ユーザの携帯端末のカメラにより撮影され、コードの解読が行われることを特徴とする電子コンテンツ・スクラップシステム。
【請求項５】
請求項１に記載の電子コンテンツ・スクラップシステムにおいて、
上記記事特定手段は、記事の紙面の画像をユーザの端末から受け取り、画像検索によりスクラップの対象となる記事を特定することを特徴とする電子コンテンツ・スクラップシステム。
【請求項６】
請求項５に記載の電子コンテンツ・スクラップシステムにおいて、
上記画像は、ユーザの携帯端末のカメラにより撮影されることを特徴とする電子コンテンツ・スクラップシステム。
【請求項７】
請求項１に記載の電子コンテンツ・スクラップシステムにおいて、
上記記事特定手段は、記事の閲覧画面から行われるユーザの選択によりスクラップの対象となる記事を特定することを特徴とする電子コンテンツ・スクラップシステム。
【請求項８】
請求項１乃至７のいずれか一項に記載の電子コンテンツ・スクラップシステムにおいて、
上記ポリシーは、コピーの可否、編集の可否、保存の可否、印刷の可否、二次コピー抑止の可否、文字部分の閲覧の可否、図表部分の閲覧の可否の組み合わせからなることを特徴とする電子コンテンツ・スクラップシステム。
【請求項９】
請求項１乃至８のいずれか一項に記載の電子コンテンツ・スクラップシステムにおいて、
上記編集手段は、記事情報に基づきタイトル部分と本文部分とを解析して自動整形する整形モードと、ユーザが自由に配置する切り貼りモードとを有することを特徴とする電子コンテンツ・スクラップシステム。
【請求項１０】
サーバの認証手段が、ユーザからのアクセス時にユーザ情報に基づいて認証を行い、
上記サーバの記事特定手段が、ユーザの操作に応じ、スクラップの対象となる記事を特定し、
上記サーバの登録手段が、特定された記事を登録し、
上記サーバの編集手段が、ユーザの操作に応じ、登録された記事の編集を行い、
上記サーバの印刷手段が、編集された記事の印刷を行い、
上記サーバのセキュリティ手段が、上記の編集および印刷の操作時に、操作対象の記事に設定された個々の操作の可否を示すコンテンツポリシーに基づいてユーザに付与されたユーザポリシーにおいて要求された操作が許可されているか否か判断することで操作の許否を判断することを特徴とする電子コンテンツ・スクラップ方法。
【発明の詳細な説明】
【技術分野】
【０００１】
本発明は、所望の新聞記事等を選択して編集・印刷することのできる電子コンテンツ・スクラップシステムに関する。
【背景技術】
【０００２】
業務上の必要に応じ、あるいは個人の趣味として、新聞紙面等から所望の記事部分を切り取り、必要に応じて台紙に貼り付ける等によって管理する、いわゆるスクラップをしている人は多い。
【０００３】
なお、出願人は出願時点までに本発明に関連する先行技術文献を発見することができなかった。よって、先行技術文献情報を開示していない。
【発明の開示】
【発明が解決しようとする課題】
【０００４】
ところで、昨今のインターネットの普及により新聞記事等のダイジェストが新聞社等の運営するインターネットホームページに掲載されることが多くなってきたが、新聞紙面等に掲載される記事に比較して情報量が少なく、スクラップの対象としては十分ではない。
【０００５】
これは、新聞等を正規に購読しているユーザについてもいえることであり、スクラップを行うにあっては、従来通りに新聞紙面等から所望の記事部分を切り取って管理せざるを得なかった。
【０００６】
このようなことから、電子コンテンツの状態でスクラップを行えることが要望されるが、一方で電子化された新聞記事等のコンテンツを無制限に利用できてしまうのは行き過ぎであり、技術的な悪用防止策が必要である。
【０００７】
本発明は上記の従来の問題点に鑑み提案されたものであり、その目的とするところは、電子コンテンツの状態でスクラップを容易に行えるとともに、有効な利用制限を行うことのできる電子コンテンツ・スクラップシステムを提供することにある。
【課題を解決するための手段】
【０００８】
上記の課題を解決するため、本発明にあっては、請求項１に記載されるように、ユーザからのアクセス時にユーザ情報に基づいて認証を行う認証手段と、ユーザの操作に応じ、スクラップの対象となる記事を特定する記事特定手段と、特定された記事を登録する登録手段と、ユーザの操作に応じ、登録された記事の編集を行う編集手段と、編集された記事の印刷を行う印刷手段と、上記の編集および印刷の操作時に、操作対象の記事に設定された個々の操作の可否を示すコンテンツポリシーに基づいてユーザに付与されたユーザポリシーにおいて要求された操作が許可されているか否か判断することで操作の許否を判断するセキュリティ手段とを備える電子コンテンツ・スクラップシステムを要旨としている。
【０００９】
また、請求項２に記載されるように、請求項１に記載の電子コンテンツ・スクラップシステムにおいて、上記認証手段、記事特定手段、登録手段はネットワーク上のサーバに設けられ、上記編集手段、印刷手段、セキュリティ手段はユーザの操作する端末に設けられるものとすることができる。
【００１０】
また、請求項３に記載されるように、請求項１に記載の電子コンテンツ・スクラップシステムにおいて、上記記事特定手段は、記事の紙面に付されたコードを解読した結果をユーザの端末から受け取ることによりスクラップの対象となる記事を特定するものとすることができる。
【００１１】
また、請求項４に記載されるように、請求項３に記載の電子コンテンツ・スクラップシステムにおいて、上記コードは、ユーザの携帯端末のカメラにより撮影され、コードの解読が行われるものとすることができる。
【００１２】
また、請求項５に記載されるように、請求項１に記載の電子コンテンツ・スクラップシステムにおいて、上記記事特定手段は、記事の紙面の画像をユーザの端末から受け取り、画像検索によりスクラップの対象となる記事を特定するものとすることができる。
【００１３】
また、請求項６に記載されるように、請求項５に記載の電子コンテンツ・スクラップシステムにおいて、上記画像は、ユーザの携帯端末のカメラにより撮影されるものとすることができる。
【００１４】
また、請求項７に記載されるように、請求項１に記載の電子コンテンツ・スクラップシステムにおいて、上記記事特定手段は、記事の閲覧画面から行われるユーザの選択によりスクラップの対象となる記事を特定するものとすることができる。
【００１５】
また、請求項８に記載されるように、請求項１乃至７のいずれか一項に記載の電子コンテンツ・スクラップシステムにおいて、上記ポリシーは、コピーの可否、編集の可否、保存の可否、印刷の可否、二次コピー抑止の可否、文字部分の閲覧の可否、図表部分の閲覧の可否の組み合わせからなるものとすることができる。
【００１６】
また、請求項９に記載されるように、請求項１乃至８のいずれか一項に記載の電子コンテンツ・スクラップシステムにおいて、上記編集手段は、記事情報に基づきタイトル部分と本文部分とを解析して自動整形する整形モードと、ユーザが自由に配置する切り貼りモードとを有するものとすることができる。
【００１７】
また、請求項１０に記載されるように、サーバの認証手段が、ユーザからのアクセス時にユーザ情報に基づいて認証を行い、上記サーバの記事特定手段が、ユーザの操作に応じ、スクラップの対象となる記事を特定し、上記サーバの登録手段が、特定された記事を登録し、上記サーバの編集手段が、ユーザの操作に応じ、登録された記事の編集を行い、上記サーバの印刷手段が、編集された記事の印刷を行い、上記サーバのセキュリティ手段が、上記の編集および印刷の操作時に、操作対象の記事に設定された個々の操作の可否を示すコンテンツポリシーに基づいてユーザに付与されたユーザポリシーにおいて要求された操作が許可されているか否か判断することで操作の許否を判断する電子コンテンツ・スクラップ方法として構成することができる。
【発明の効果】
【００１８】
本発明の電子コンテンツ・スクラップシステムにあっては、電子コンテンツの状態でスクラップを容易に行えるとともに、有効な利用制限を行うことができる。
【発明を実施するための最良の形態】
【００１９】
以下、本発明の好適な実施形態につき図面を参照して説明する。
【００２０】
図１は本発明の一実施形態にかかる電子コンテンツ・スクラップシステムの構成例を示す図である。図１において、電子コンテンツ・スクラップシステムは、新聞社等のコンテンツ提供者が運営するコンテンツ配信サイト１と、登録ユーザに対してスクラップサービスを提供するためのスクラップ管理システム２とがネットワーク３上にサーバとして構築されている。スクラップ管理システム２には、ネットワーク３を介して通信を行うための通信部２１と、コンテンツ２０１を保持するコンテンツ管理部２２と、ユーザ記事情報２０２およびユーザ情報２０３を保持するユーザ管理部２３とを備えている。なお、コンテンツ配信サイト１とスクラップ管理システム２は同じサイト（サーバ）として構成するようにしてもよい。
【００２１】
一方、ユーザの所持する携帯電話等の携帯端末４からネットワーク３を介してコンテンツ配信サイト１およびスクラップ管理システム２にアクセスできるようになっている。携帯端末４には、新聞等の記事紙面からコード（ＱＲコード）もしくは記事の画像を撮影するためのカメラ部４１と、撮影したコードをデコードするデコード部４２と、ネットワーク３を介して通信するための通信部４３とを備えている。
【００２２】
また、ユーザの操作可能な、ＰＣ（Personal Computer）、ＭＦＰ（Multi Function Printer）（コンビニエンスストア等に設置）等のスクラップ管理システム対応端末５からネットワーク３を介してコンテンツ配信サイト１およびスクラップ管理システム２にアクセスできるようになっている。スクラップ管理システム対応端末５には、操作パネルを兼ねる表示部５１と、ネットワーク３を介して通信するための通信部５２と、印刷処理を行う印刷部５３と、ポリシーの確認により編集・印刷の権限の確認を行うためのセキュリティ機能部５４と、スクラップの編集処理を行うための編集部５５とを備えている。
【００２３】
図２はスクラップ管理システム２で管理されるデータの概要を示す図である。コンテンツ２０１は、コンテンツＩＤ、書誌、サムネイル、記事内容、コンテンツポリシーを含んでいる。ユーザ記事情報２０２は、ユーザＩＤ、記事ＩＤ、ユーザポリシー、閲覧期限、ユーザレートを含んでいる。ユーザ情報２０３は、ユーザＩＤ、名前、契約内容を含んでいる。
【００２４】
図３はコンテンツ２０１に相当する記事データの例を示す図であり、ＸＭＬ（eXtensible Markup Language）により記述したものである。図３において、記事データは、コンテンツＩＤに相当する「ArticleID」と、著者（Author）、日付（Date）等の書誌と、印刷権限（PrintPolicy）、編集権限（EditPolocy）等のポリシーと、記事内容（Body）とを含んでいる。
【００２５】
図４は記事およびユーザの双方に設定されるポリシーの例を示す図であり、クリップボードへのコピーの可否、編集の可否、保存の可否、印刷の可否、二次コピー抑止（コピー抑止地紋等）の可否、文字部分の閲覧の可否、図表部分の閲覧の可否の組み合わせから構成されている。すなわち、ポリシーＡ１は、コピー、編集、保存、印刷、二次コピー、文字部分の閲覧、図表部分の閲覧の全てが行える。ポリシーＡ２は、二次コピーができない。ポリシーＢ１は、編集はできるがクリップボードへのコピーができない。ポリシーＢ２は、二次コピーができない。ポリシーＣ１は、保存ができるが編集・コピーができない。ポリシーＣ２は、二次コピーができない。ポリシーＤは、保存はできるがコピー・編集・印刷ができない。ポリシーＥ１は、印刷・二次コピーはできるが保存ができない。ポリシーＥ２は、二次コピーができない。ポリシーＦは、閲覧しかできない。ポリシーＧは、文字部分の閲覧しかできない。
【００２６】
図５は記事紙面に付されたコードから携帯端末４によりスクラップ対象の登録指示を行う場合の処理例を示すシーケンス図である。図５において、ユーザは自己の所持する携帯端末４のカメラ機能（図１のカメラ部４１）を使って記事紙面６に付されたＱＲコードを撮影する（ステップＳ１０１）。図７（ａ）は記事紙面６の例を示しており、スクラップしたい記事に付されたＱＲコード６１、６２等を撮影する。ＱＲコード６１、６２には記事を特定するＩＤとともにコンテンツ配信サイト１へのアクセス情報（ＵＲＬ（Uniform Resource Locater）等）が含まれており、撮影されたＱＲコードは携帯端末４内のデコード部４２（図１）でデコードされる。
【００２７】
次いで、図５に戻り、ユーザは携帯端末４からＱＲコードに基づいてコンテンツ配信サイト１の該当記事にアクセスする（ステップＳ１０２）。図７（ｂ）はコンテンツ配信サイト１へのアクセスに際しての確認画面の例を示しており、「アクセスします。よろしいですか？」というメッセージに対して「ＹＥＳ」を選択することでアクセスが行われる。
【００２８】
次いで、図５に戻り、コンテンツ配信サイト１から携帯端末４に対してログイン画面が表示され（ステップＳ１０３）、ユーザはユーザＩＤとパスワードを入力する（ステップＳ１０４）。図７（ｃ）はログイン画面の例を示しており、「この記事をスクラップします。」というメッセージに対してＩＤとパスワードを入力し、「ＯＫ」を選択することで、入力情報がコンテンツ配信サイト１に伝えられる。
【００２９】
次いで、図５に戻り、コンテンツ配信サイト１からスクラップ管理システム２のユーザ管理部２３に対してユーザ認証が要求され（ステップＳ１０５）、登録されたユーザであることが確認されると「ＯＫ」が返される（ステップＳ１０６）。次いで、コンテンツ配信サイト１からスクラップ管理システム２のコンテンツ管理部２２に対して記事とポリシーの確認が要求され（ステップＳ１０７）、記事ＩＤが有効であるかどうか、認証されたユーザＩＤとポリシーが合致するかどうかが確認されると「ＯＫ」が返される（ステップＳ１０８）。そして、コンテンツ配信サイト１からユーザ管理部２３に対して記事の追加が要求され（ステップＳ１０９）、正常に登録されると「ＯＫ」が返され（ステップＳ１１０）、コンテンツ配信サイト１から携帯端末４に登録完了が伝えられる（ステップＳ１１１）。
【００３０】
図６は上記の処理におけるコンテンツ配信サイト１およびスクラップ管理システム２における処理例を示すフローチャートであり、コンテンツ配信サイト１から携帯端末４へのログイン画面の表示（この際、非表示（hidden）項目として記事ＩＤを保持）（ステップＳ１２１）、ユーザＩＤとパスワードの確認（ステップＳ１２２）、記事ＩＤの有効性判断およびポリシーの確認（ステップＳ１２３）、ユーザＩＤと記事ＩＤの紐付けおよびコンテンツポリシーと照らし合わせたユーザポリシーの付与（ステップＳ１２４）が順次に行われる。なお、ユーザＩＤとパスワードの確認（ステップＳ１２２）、記事ＩＤの有効性判断およびポリシーの確認（ステップＳ１２３）において否定的な結果となった場合はエラー表示（ステップＳ１２５）が行われる。
【００３１】
図８は記事紙面の画像から携帯端末４によりスクラップ対象の登録指示を行う場合の処理例を示すシーケンス図である。図８において、ユーザは自己の所持する携帯端末４のカメラ機能（図１のカメラ部４１）を使って記事紙面６における所望の記事を撮影する（ステップＳ１３１）。
【００３２】
次いで、ユーザは携帯端末４からコンテンツ配信サイト１にアクセスする（ステップＳ１３２）。これに応じ、コンテンツ配信サイト１から携帯端末４に対してログイン画面が表示され（ステップＳ１３３）、ユーザはユーザＩＤとパスワードを入力する（ステップＳ１３４）。
【００３３】
次いで、コンテンツ配信サイト１からユーザ管理部２３に対してユーザ認証が要求され（ステップＳ１３５）、登録されたユーザであることが確認されると「ＯＫ」が返される（ステップＳ１３６）。
【００３４】
次いで、携帯端末４からコンテンツ配信サイト１に対して撮影した記事画像がアップロードされる（ステップＳ１３７）。これに応じ、コンテンツ配信サイト１からコンテンツ管理部２２に対して類似画像検索エンジンによる画像検索が要求され（ステップＳ１３８）、コンテンツ管理部２２では画像検索を行い、コンテンツ配信サイト１に結果が返され（ステップＳ１３９）、コンテンツ配信サイト１から携帯端末４に対して記事検索結果の表示が行われる（ステップＳ１４０）。
【００３５】
これに対し、ユーザにより記事の確認が行われると（ステップＳ１４１）、コンテンツ配信サイト１からコンテンツ管理部２２に対して記事とポリシーの確認が要求され（ステップＳ１４２）、記事ＩＤが有効であるかどうか、認証されたユーザＩＤとポリシーが合致するかどうかが確認されると「ＯＫ」が返される（ステップＳ１４３）。そして、コンテンツ配信サイト１からユーザ管理部２３に対して記事の追加が要求され（ステップＳ１４４）、正常に登録されると「ＯＫ」が返され（ステップＳ１４５）、コンテンツ配信サイト１から携帯端末４に登録完了が伝えられる（ステップＳ１４６）。
【００３６】
図９は上記の処理におけるコンテンツ配信サイト１およびスクラップ管理システム２における処理例を示すフローチャートであり、携帯端末４からコンテンツ配信サイト１への画面情報の送信（ステップＳ１５１）、データベースに登録されている記事画像とのマッチングによる記事の特定（ステップＳ１５２）、記事ＩＤの有効性判断およびポリシーの確認（ステップＳ１５３）、ユーザＩＤと記事ＩＤの紐付けおよびコンテンツポリシーと照らし合わせたユーザポリシーの付与（ステップＳ１５４）が順次に行われる。なお、記事ＩＤの有効性判断およびポリシーの確認（ステップＳ１５３）において否定的な結果となった場合はエラー表示（ステップＳ１５５）が行われる。
【００３７】
図１０はコンテンツ配信サイト１において記事を閲覧しながらスクラップ対象の登録指示を行う場合の処理例を示すシーケンス図である。図１０において、ユーザは携帯端末４、スクラップ管理システム対応端末５等の端末からコンテンツ配信サイト１にアクセスし（ステップＳ１６１）、スクラップしたい記事を選択する（ステップＳ１６２）。図１１（ａ）は閲覧している記事の例を示すものであり、下部に表示される「この記事をスクラップ」といったホットテキストをクリックすることで記事の選択が行われる。
【００３８】
次いで、図１０に戻り、コンテンツ配信サイト１から端末４、５に対してユーザ認証画面が表示され（ステップＳ１６３）、ユーザはユーザＩＤとパスワードを入力する（ステップＳ１６４）。図１１（ｂ）はユーザ認証画面の例を示しており、ＩＤとパスワードを入力し、「ＯＫ」を選択することで、入力情報がユーザ管理部２３に伝えられる。
【００３９】
次いで、図１０に戻り、登録されたユーザであることが確認されると「ＯＫ」がユーザ管理部２３からコンテンツ配信サイト１に返される（ステップＳ１６５）。次いで、コンテンツ配信サイト１からコンテンツ管理部２２に対して記事とポリシーの確認が要求され（ステップＳ１６６）、記事ＩＤが有効であるかどうか、認証されたユーザＩＤとポリシーが合致するかどうかが確認されると「ＯＫ」が返される（ステップＳ１６７）。
【００４０】
そして、コンテンツ配信サイト１からユーザ管理部２３に対して記事の追加が要求され（ステップＳ１６８）、正常に登録されると「ＯＫ」が返され（ステップＳ１６９）、コンテンツ配信サイト１から端末４、５に登録完了が伝えられる（ステップＳ１７０）。図１１（ｃ）は登録完了を伝える画面の例を示している。
【００４１】
次に、図１２は登録した記事の編集・印刷の処理例を示すシーケンス図である。図１２において、ユーザがスクラップ管理システム対応端末５の表示部５１にＩＣカードをかざすと（ステップＳ２０１）、表示部５１からスクラップ管理システム２のユーザ管理部２３に対してユーザ認証および記事一覧取得が要求され（ステップＳ２０２）、ユーザ認証が正常に行われると当該ユーザの記事一覧が返される（ステップＳ２０３）。図１３（ａ）はユーザ認証画面の例を示している。
【００４２】
次いで、図１２に戻り、ユーザは表示部５１に対して記事一覧から記事を選択する（ステップＳ２０４）。図１３（ｂ）はユーザ毎の記事一覧（スクラップ一覧）の例を示している。図１２に戻り、記事が選択されると、表示部５１からユーザ管理部２３に対してポリシーの要求が行われ（ステップＳ２０５）、ポリシーが返される（ステップＳ２０６）。次いで、表示部５１からコンテンツ管理部２２に対して記事内容の要求が行われ（ステップＳ２０７）、記事内容が返される（ステップＳ２０８）。図１３（ｃ）は記事内容の例を示している。
【００４３】
そして、図１２に戻り、ユーザが表示部５１に編集を指示すると（ステップＳ２０９）、表示部５１からユーザ管理部２３に対してポリシーの確認が行われ（ステップＳ２１０）、確認が正常に行われると「ＯＫ」が返され（ステップＳ２１１）、編集が許容される。図１４は記事の編集の例を示す図であり、（ａ）に示すような、記事情報に基づきタイトル部分と本文部分とを解析して自動整形する整形モードと、（ｂ）に示すような、ユーザが自由に配置する切り貼りモードとを選択することができる。
【００４４】
一方、図１２に戻り、ユーザが表示部５１に印刷を指示すると（ステップＳ２１２）、これは印刷部５３に伝えられ（ステップＳ２１３）、印刷部５３からユーザ管理部２３に対してポリシーの確認が行われ（ステップＳ２１４）、確認が正常に行われると「ＯＫ」が返され（ステップＳ２１５）、印刷が行われる（ステップＳ２１６）。
【００４５】
このように、ユーザは携帯端末等からスクラップしたい記事を選択し、編集・印刷を行うことで、電子コンテンツの状態でスクラップが行えるものである。また、スクラップ対象の登録・編集・印刷にあたっては予め設定されたポリシーが考慮されるため、悪用が防止される。
【００４６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４７】
【図１】本発明の一実施形態にかかる電子コンテンツ・スクラップシステムの構成例を示す図である。
【図２】スクラップ管理システムで管理されるデータの概要を示す図である。
【図３】記事データの例を示す図である。
【図４】ポリシーの例を示す図である。
【図５】記事紙面に付されたコードから携帯端末によりスクラップ対象の登録指示を行う場合の処理例を示すシーケンス図である。
【図６】コンテンツ配信サイトおよびスクラップ管理システムにおける処理例を示すフローチャートである。
【図７】記事紙面および携帯端末画面の例を示す図である。
【図８】記事紙面の画像から携帯端末によりスクラップ対象の登録指示を行う場合の処理例を示すシーケンス図である。
【図９】コンテンツ配信サイトおよびスクラップ管理システムにおける処理例を示すフローチャートである。
【図１０】コンテンツ配信サイトにおいて記事を閲覧しながらスクラップ対象の登録指示を行う場合の処理例を示すシーケンス図である。
【図１１】表示画面の例を示す図である。
【図１２】登録した記事の編集・印刷の処理例を示すシーケンス図である。
【図１３】表示画面の例を示す図である。
【図１４】記事の編集の例を示す図である。
【符号の説明】
【００４８】
１        コンテンツ配信サイト
２        スクラップ管理システム
２１      通信部
２２      コンテンツ管理部
２３      ユーザ管理部
２０１    コンテンツ
２０２    ユーザ記事情報
２０３    ユーザ情報
３        ネットワーク
４        携帯端末
４１      カメラ部
４２      デコード部
４３      通信部
５        スクラップ管理システム対応端末
５１      表示部
５２      通信部
５３      印刷部
５４      セキュリティ機能部
５５      編集部
【図１】
0004764680.tif 000002
【図２】
0004764680.tif 000003
【図３】
0004764680.tif 000004
【図４】
0004764680.tif 000005
【図５】
0004764680.tif 000006
【図６】
0004764680.tif 000007
【図７】
0004764680.tif 000008
【図８】
0004764680.tif 000009
【図９】
0004764680.tif 000010
【図１０】
0004764680.tif 000011
【図１１】
0004764680.tif 000012
【図１２】
0004764680.tif 000013
【図１３】
0004764680.tif 000014
【図１４】
0004764680.tif 000015